(57)【要約】【課題】  多フィールド読み出しが可能なＣＣＤを備えた撮像装置において、温度や撮影感度等に係わらず、安定して暗ノイズ補正を行い、高品位な画像を形成することが可能な撮像装置及びその駆動方法を提供する。【解決手段】  多フィールド読み出しが可能なＣＣＤエリアセンサと、ＣＣＤエリアセンサで生成された画像信号をクランプするクランプ手段と、クランプ手段の作動を制御するクランプ制御手段と、ＣＣＤエリアセンサの温度を検知する検知手段と、ＣＣＤエリアセンサの撮影感度を設定する撮影感度設定手段と、を有する撮像装置であって、静止画モードにおいて、クランプ制御手段は、ＣＣＤエリアセンサの温度、又は撮影感度に基づいて、少なくとも第２フィールドにおける前記クランプ手段の作動を制御する。【選択図】        図２
2007036332.tif 000002
【特許請求の範囲】
【請求項１】
多フィールド読み出しが可能なＣＣＤエリアセンサと、
前記ＣＣＤエリアセンサで生成された画像信号をクランプするクランプ手段と、
前記クランプ手段の作動を制御するクランプ制御手段と、
前記ＣＣＤエリアセンサの温度を検知する検知手段、または、
前記ＣＣＤエリアセンサの撮影感度を設定する撮影感度設定手段と、を有する撮像装置であって、
前記ＣＣＤエリアセンサの垂直シフトレジスタに充満する不要電荷を掃き出してから、前記ＣＣＤエリアセンサで生成された前記画像信号の読み出しを行う、静止画モードにて前記ＣＣＤエリアセンサを駆動させる場合、
前記クランプ制御手段は、前記検知手段により検知された前記ＣＣＤエリアセンサの温度、または、前記撮影感度設定手段により設定された撮影感度に基づいて、少なくとも第２フィールドにおける前記クランプ手段の作動を制御することを特徴とする撮像装置。
【請求項２】
前記クランプ制御手段は、前記クランプ手段が前記画像信号に対して行うクランプの領域、または、クランプの周期を変動させる様に、前記クランプ手段の作動を制御するものであることを特徴とする請求項１に記載の撮像装置。
【請求項３】
前記クランプ制御手段は、
前記ＣＣＤエリアセンサの温度、または、設定された撮影感度が高くなるほど、
前記クランプ手段が前記画像信号に対して行うクランプの領域を広げる様に、または、クランプの周期を遅らせる様に、前記クランプ手段の作動を制御することを特徴とする請求項２に記載の撮像装置。
【請求項４】
多フィールド読み出しが可能なＣＣＤエリアセンサを有する撮像装置の駆動方法であって、
前記ＣＣＤエリアセンサの垂直シフトレジスタに充満する不要電荷を掃き出してから、前記ＣＣＤエリアセンサで生成された画像信号の読み出しを行う、静止画モードにて前記ＣＣＤエリアセンサを駆動する際に、
少なくとも第２フィールドにおいては、前記ＣＣＤエリアセンサの温度、または、撮影感度に基づいて、前記ＣＣＤエリアセンサで生成された前記画像信号のクランプ処理を行うことを特徴とする撮像装置の駆動方法。
【請求項５】
前記画像信号に対して行うクランプの領域、または、クランプの周期を変動させて、クランプ処理を行うことを特徴とする請求項４に記載の撮像装置の駆動方法。
【請求項６】
前記ＣＣＤエリアセンサの温度、または、撮影感度が高くなるほど、
前記画像信号に対して行うクランプの領域を広げて、又はクランプの周期を遅くして、クランプ処理を行うことを特徴とする請求項５に記載の撮像装置の駆動方法。
【発明の詳細な説明】
【技術分野】
【０００１】
本発明は、撮像装置及びその駆動方法に関し、特に、撮像素子の暗ノイズ補正を行う撮像装置に関する。
【背景技術】
【０００２】
電子カメラ、スキャナ、ビデオカメラ等の撮像装置では、ＣＣＤ（Ｃｈａｒｇｅ  Ｃｏｕｐｌｅｄ  Ｄｅｖｉｃｅ）に代表される撮像素子により、被写体光学像を画像信号化して画像形成が行われる。これらの撮像装置では、暗ノイズ（熱雑音）と呼ばれる撮像素子で生ずる暗電流に起因する画像ノイズを発生させることがある。暗ノイズは、画像再現性や画質に大きな影響を与えるため、高品位な画像形成を実現するには補正等の操作によりその影響を除去する必要がある。そして、撮像装置の分野では暗ノイズを効率よく補正する技術がこれまでも種々検討されてきた。
【０００３】
ここで、一般的に行われている暗ノイズの補正方法について説明する。
【０００４】
最初に、ＣＣＤの構成、及びその駆動方法について説明する。
【０００５】
撮像素子には、種々のタイプのものが知られているが、例えば、縦型オーバーフロードレイン型ＣＣＤの構成を図７を用いて説明する。図７（ａ）はＣＣＤ５０の画素構成を示す模式図であり、図７（ｂ）は受光領域５２を走査する任意の水平ラインのＣＣＤ出力信号を示す模式図である。
【０００６】
ＣＣＤ５０は、図７（ａ）に示す様に、被写体の光学像を画像信号に変換する受光領域５２と、暗ノイズ検出用の画像信号を形成する遮光領域５３（以下、遮光領域５３をＯＢ領域；Ｏｐｔｉｃａｌ  Ｂｌａｃｋ領域ともいう）とを有し、遮光領域５３は受光領域５２の周囲に配置された構造を有する。
【０００７】
ＣＣＤ５０は、受光領域５２とＯＢ領域５３各々に光電変換部に該当するフォトダイオード５１を画素単位で配置している。フォトダイオード５１は、図７（ａ）に示す様に、垂直シフトレジスタ（垂直ＣＣＤ）５４と接続し、さらに、垂直シフトレジスタ５４は、ＣＣＤ５０の下部に設けられた水平シフトレジスタ（水平ＣＣＤ）５５と接続する。
【０００８】
ＯＢ領域５３に設けられたフォトダイオード５１は、光学的に完全に遮光されており、熱により生ずる暗ノイズに起因する電荷信号のみが形成される。なお、本発明では暗ノイズに起因する電荷信号のことも画像信号と呼ぶ。
【０００９】
次に、上記構成のＣＣＤ５０の駆動方法について説明する。ＣＣＤ５０の駆動方法には、一般に「ライブビューモード」と「静止画モード」と呼ばれる２つの駆動モードがある。ライブビューモードは、ＣＣＤ５０から定期的な間隔で画素間引きを行いながら画像信号を出力し、撮影における画角等を決定するもので、最終的に画像表示部へと表示するモードである。静止画モードは、ＣＣＤ５０を駆動する際に垂直シフトレジスタ５４の高速転送による電荷掃き出し期間が存在するモードで、通常、静止画を撮影する際に用いられるモードであり、「静止画撮影モード」として用いられる。
【００１０】
ライブビューモードにおいては、フォトダイオード５１で生成された電荷信号は、ＣＣＤ５０を駆動させるタイミングジェネレータから出力された電荷読み出しパルスφＴＧ１、またはφＴＧ３により垂直シフトレジスタ５４に読み出される。読み出された電荷信号は、タイミングジェネレータから出力された垂直転送パルスφＶ１乃至φＶ４により垂直方向に転送される。また、タイミングジェネレータは水平１ライン分の電荷信号が各垂直シフトレジスタ５４から水平シフトレジスタ５５に与えられる毎に水平転送パルスφＨ１、φＨ２を水平シフトレジスタ５５に出力する。この水平転送パルスφＨ１、φＨ２に応答して水平１ライン分に相当する電荷信号が水平方向に転送される。水平転送された電荷信号は、出力部５７を経て外部に出力される。この様にして、各々のフォトダイオード５１で生成された１画面分に相当する電荷信号がＣＣＤ５０から出力される。ＣＣＤ５０から出力された画像信号は、図７（ｂ）に示す様に、前縁からダミー画素信号、前段ＯＢ信号、画像信号、後段ＯＢ信号より構成されるＣＣＤ出力信号となる。
【００１１】
一方、静止画モードにおいては、フォトダイオード５１に蓄積された電荷が垂直シフトレジスタ５４に読み出される前に、垂直シフトレジスタ５４に発生した不要電荷の高速掃き出し動作が行われる。垂直シフトレジスタ５４には、暗ノイズやスミア、ブルーミング等の影響により、不要電荷が発生し留まる場合がある。そして、フォトダイオード５１に蓄積された電荷信号を垂直シフトレジスタ５４に読み出す前に、垂直シフトレジスタ５４に留まっている不要電荷を掃き出しておかないと不要電荷が画像ノイズとして発生する。そのため、垂直シフトレジスタ５４に留まっている不要電荷を一気に掃き出すための高速掃き出し期間が設けられている。高速掃き出しを終えると、フォトダイオード５１に蓄積された電荷信号は、垂直シフトレジスタ５４に読み出され、その後上述のライブビューモードで行われた動作と同様の動作を経て、ＣＣＤ５０より画像信号が出力される。
【００１２】
ここで、ＣＣＤ５０から読み出された画像信号に対して通常行われている暗ノイズの補正方法について説明する。
【００１３】
暗ノイズ補正は、ライブビューモードにおいては、通常、図７（ａ）に示すＣＣＤ５０の撮像面右端のＯＢ領域を構成する画素（図では２画素分しか図示していないが、数十画素分に相当する）で発生した暗ノイズを抽出し、抽出した暗ノイズレベルに応じて画像信号の補正が行われる。具体的には、図示しない水平クランプ信号に基づいて、図７（ｂ）に示すＣＣＤ出力信号の後段ＯＢ信号より暗ノイズの抽出が行われ、抽出された暗ノイズに基づいて画像信号の黒レベルを基準電位とする黒レベル基準電圧を設定する。この様に設定された黒レベル基準電圧に基づいてＣＤＳ（相関二重サンプリング）回路でクランプ動作が行われることにより、暗ノイズ補正が行われる。
【００１４】
しかしながら、静止画モードにおいては、上述の高速掃き出し期間が存在により、高精度の暗ノイズ補正を行うことが出来ず、画像信号にＶサグと呼ばれる段差が発生する場合がある。
【００１５】
静止画モードにおける暗ノイズの補正動作を、図３を用いて説明する。図３（ａ）は垂直同期信号（ＶＤ）を、図３（ｂ）は読出し動作モードを、図３（ｃ）は暗ノイズレベルを、図３（ｄ）はクランプ信号（ＣＬＰ）を、さらに、図３（ｅ）はクランプ電位を示す。
【００１６】
ＣＣＤ５０を静止画モードで駆動した場合、図３（ｂ）に示す様に、垂直シフトレジスタ５４の高速掃き出し期間ｔｃが存在する。この高速掃き出し期間ｔｃでは、垂直シフトレジスタ５４を高速転送することにより、出力部５７を介して暗ノイズやスミア等のノイズ成分を排出するので、図３（ｄ）に示す様に、クランプ動作を停止させている。また、図３（ｂ）に示す様に、高速掃き出し期間ｔｃの後、画像信号の読出しが開始され最初にＣＣＤ５０の撮像面下部のＯＢ領域を構成する画素（十数画素分に相当）の読み出しが行われる。この下部ＯＢ信号読み出し期間ｔｂ１でも、図３（ｄ）に示す様に、通常クランプ動作は停止している。したがって、クランプ動作を停止している高速掃き出し期間ｔｃと下部ＯＢ信号読み出し期間ｔｂ１におけるクランプ電位は、図３（ｅ）に示す様に、非常に低くなっている。
【００１７】
一方、垂直シフトレジスタ５４に発生する暗ノイズの量は、温度に大きく影響するものである。すなわち、撮像装置の使用時間が長くなり消費電力が増大して発熱したり、撮像装置が使用される環境温度が高くなるといった理由で、垂直シフトレジスタ５４に発生する暗ノイズの量が増大する。このため、高速掃き出し期間ｔｃで行われる高速掃き出し動作が暗ノイズの発生に追従できなくなり、高速掃き出し期間ｔｃでも暗ノイズが蓄積されることになる。そして、図３（ｃ）に示す様に、下部ＯＢ信号読み出し期間ｔｂ１終了時には暗ノイズレベルはＶｏｂまで達している。
【００１８】
この様な状態で、下部ＯＢ信号読み出し期間ｔｂ１終了後、クランプ動作を行う画像信号読み出し期間ｔｓに移ると、図３（ｄ）に示す様に、クランプ動作を開始するもののクランプ回路の時定数の大きさによっては暗ノイズレベルＶｏｂに相当するクランプ電位を瞬時に得ることは困難である。また、クランプ電位は、図３（ｅ）に実線で示す様に、本来はクランプ動作の開始後、瞬時に暗ノイズレベルＶｏｂに相当するクランプ電位Ｖｃｐまで達しなければならないが、クランプ回路の時定数の大きさによっては追従が困難になり、破線で示す様に徐々に上昇して必要とするクランプ電位に到達するようになる。そして、この間の電位差がＶサグ（段差）として画像信号に発生し、画像品質を大きく損ねる要因となる。
【００１９】
この様に、静止画モードにおいては、画像信号にＶサグが発生して画像品質に影響を与えることになるので、適切な暗ノイズの補正操作等によりその影響を軽減させなくてはならない。そして、撮像装置の分野では、暗ノイズ補正を精度よく行えるようにした技術がこれまでも種々検討されてきた。
【００２０】
例えば、暗ノイズ補正手段としてアナログクランプ部とデジタルクランプ部を備え、ＣＣＤの駆動モードに応じて、デジタルクランプ部の動作をフィールドクランプとラインクランプの２つの動作モードから選択し、静止画モードでの駆動時にはラインクランプ動作を選択することにより静止画モードにおけるＶサグ（段差）の発生を抑制させる技術がある（例えば、特許文献１参照）。
【特許文献１】特開２００１−３１３８６４号公報（段落００３３等参照）
【発明の開示】
【発明が解決しようとする課題】
【００２１】
ところで、近年、撮像装置の高性能化に伴って撮像素子の高画素化や高密度化が加速しているが、その一方で、画素サイズを小さくすることにより感度低下が発生し、これが画像性能に大きな影響を及ぼしている。そして、この感度低下を補うために、多フィールド読み出しが可能なＣＣＤが用いられる様になってきた。多フィールド読み出しは、フォトダイオードで生成された電荷を読み出す際に、通常行われているフレーム読み出し（フォトダイオードで生成された電荷を２回に分割して読み出す２フィールド読み出しと呼ばれるフレーム読み出し方法）よりも更に分割数を増やし、３フィールド以上に分割して読み出しを行う方法である。
【００２２】
このような多フィールド読み出しでは、複数回に分割して読み出された画像信号を合成して１枚の画像を形成するので、各々のフィールドで読み出された画像信号の信号レベルを合わせる必要がある。特に、画像信号の基準となる黒レベルは、精度良く合わせなければならず、画像信号の黒レベルに影響を及ぼすことになる暗ノイズ補正は確実に行わなければならない。
【００２３】
また、暗ノイズや暗ノイズ補正時のクランプミスに起因するＶサグ（段差）は、撮影感度の影響を受けるものである。すなわち、撮影感度が高い場合は、信号処理回路のゲインが高く設定されるので、暗ノイズやＶサグ（段差）が増幅されて画像信号上に大きなノイズとなって現れる。
【００２４】
さらに、暗ノイズの量は、前述したように温度の影響を受けるので、撮像素子の温度が高くなるほど、暗ノイズの量が増大することになる。
【００２５】
したがって、暗ノイズの補正は、温度や撮影感度に応じて、これらの要因からの影響を受けないような条件下で行う必要がある。とりわけ、多フィールド読み出しが可能なＣＣＤでは、暗ノイズの補正を確実に行ってフィールド間の信号レベルを精度良く合わせなければならない。
【００２６】
前述の特許文献１は、ＣＣＤを静止画モードで駆動した場合には、ラインクランプ動作を行うことにより静止画モードにおけるＶサグ（段差）の発生を抑制する様にしている。しかしながら、多フィールド読み出しが可能なＣＣＤにおいては、最初に読み出されるフィールドよりも、後から読み出されるフィールドの方が電荷の蓄積時間が長くなるので暗ノイズの量も多くなる。すなわち、クランプ動作開始時点の暗ノイズレベルが後から読み出されるフィールドほど高くなってしまうのである。
【００２７】
ここで、多フィールド読み出し時における暗ノイズの変化の様子を、図４を用いて説明する。図４の（ａ）乃至（ｅ）は、図３における（ａ）乃至（ｅ）と同じ信号、暗ノイズレベル等を示す。
【００２８】
暗ノイズの量は、電荷の蓄積時間が長くなるほど増大することより、暗ノイズレベルは、図４（ｃ）に示す様に、第１フィールドにおける暗ノイズレベルＶｏｂよりも第２フィールドにおける暗ノイズレベルＶｏｂ２の方が高くなり、さらに第２フィールドにおける暗ノイズレベルＶｏｂ２よりも第３フィールドにおける暗ノイズレベルＶｏｂ３の方が高くなる。この様に、暗ノイズレベルが高くなった場合には、ラインクランプ動作を行っても、瞬時に適正なクランプ電位を得ることが困難になるものと考えられる。
【００２９】
また、暗ノイズや暗ノイズ補正時のクランプミスに起因するＶサグ（段差）は、温度や撮影感度に大きく影響されるものであるが、特許文献１には、温度や撮影感度の影響に係わらず、暗ノイズ補正を安定して行えるようにすることを示唆するものではなかった。
【００３０】
本発明は、上記課題を鑑みてなされたもので、多フィールド読み出しが可能なＣＣＤを備えた撮像装置において、温度や撮影感度等の影響を受けずに暗ノイズ補正を安定して行えるようにすることにより、高品位な画像形成が可能な撮像装置及びその駆動方法を提供することを目的とする。
【課題を解決するための手段】
【００３１】
上記目的は、下記の請求項１乃至６のいずれか１項に記載の発明によって達成される。
【００３２】
（請求項１）
多フィールド読み出しが可能なＣＣＤエリアセンサと、
前記ＣＣＤエリアセンサで生成された画像信号をクランプするクランプ手段と、
前記クランプ手段の作動を制御するクランプ制御手段と、
前記ＣＣＤエリアセンサの温度を検知する検知手段、または、
前記ＣＣＤエリアセンサの撮影感度を設定する撮影感度設定手段と、を有する撮像装置であって、
前記ＣＣＤエリアセンサの垂直シフトレジスタに充満する不要電荷を掃き出してから、前記ＣＣＤエリアセンサで生成された前記画像信号の読み出しを行う、静止画モードにて前記ＣＣＤエリアセンサを駆動させる場合、
前記クランプ制御手段は、前記検知手段により検知された前記ＣＣＤエリアセンサの温度、または、前記撮影感度設定手段により設定された撮影感度に基づいて、少なくとも第２フィールドにおける前記クランプ手段の作動を制御することを特徴とする撮像装置。
【００３３】
（請求項２）
前記クランプ制御手段は、前記クランプ手段が前記画像信号に対して行うクランプの領域、または、クランプの周期を変動させる様に、前記クランプ手段の作動を制御するものであることを特徴とする請求項１に記載の撮像装置。
【００３４】
（請求項３）
前記クランプ制御手段は、
前記ＣＣＤエリアセンサの温度、または、設定された撮影感度が高くなるほど、
前記クランプ手段が前記画像信号に対して行うクランプの領域を広げる様に、または、クランプの周期を遅らせる様に、前記クランプ手段の作動を制御することを特徴とする請求項２に記載の撮像装置。
【００３５】
（請求項４）
多フィールド読み出しが可能なＣＣＤエリアセンサを有する撮像装置の駆動方法であって、
前記ＣＣＤエリアセンサの垂直シフトレジスタに充満する不要電荷を掃き出してから、前記ＣＣＤエリアセンサで生成された画像信号の読み出しを行う、静止画モードにて前記ＣＣＤエリアセンサを駆動する際に、
少なくとも第２フィールドにおいては、前記ＣＣＤエリアセンサの温度、または、撮影感度に基づいて、前記ＣＣＤエリアセンサで生成された前記画像信号のクランプ処理を行うことを特徴とする撮像装置の駆動方法。
【００３６】
（請求項５）
前記画像信号に対して行うクランプの領域、または、クランプの周期を変動させて、クランプ処理を行うことを特徴とする請求項４に記載の撮像装置の駆動方法。
【００３７】
（請求項６）
前記ＣＣＤエリアセンサの温度、または、撮影感度が高くなるほど、
前記画像信号に対して行うクランプの領域を広げて、又はクランプの周期を遅くして、クランプ処理を行うことを特徴とする請求項５に記載の撮像装置の駆動方法。
【発明の効果】
【００３８】
請求項１、４に記載の発明によれば、多フィールド読み出しが可能なＣＣＤエリアセンサを静止画モードで駆動する際に、ＣＣＤエリアセンサの温度または撮影感度に基づいてクランプ手段の作動を制御できる様にした。したがって、静止画モードにおいて、温度や撮影感度に応じた最適なクランプ方法で暗ノイズの補正が行えることにより、従来除去が困難であったＶサグ（段差）の発生を抑制することができる様になった。その結果、多フィールド読み出しにおいて、温度や撮影感度等に影響されずにフィールド間の画像信号の信号レベルを高い精度で合わせることが可能になり、高品位な画像を形成することが可能な撮像装置及びその駆動方法の提供を可能にした。
【００３９】
請求項２、５に記載の発明によれば、ＣＣＤエリアセンサの温度または撮影感度に基づいて、クランプ手段が画像信号に対して行うクランプの領域やクランプの周期を変動させる様にした。したがって、温度や撮影感度に応じて最適なクランプ領域またはクランプ周期でクランプを行えることにより、温度や撮影感度等の影響を受けずに暗ノイズ補正を確実に行えるようになった。
【００４０】
請求項３、６に記載の発明によれば、ＣＣＤエリアセンサの温度または撮影感度が高くなる程、クランプ手段が画像信号に対して行うクランプの領域を広くする様に、またはクランプの周期を遅くする様にした。したがって、暗ノイズやＶサグ（段差）が発生し易いとされる高温や高感度時に、画像信号の広い領域をクランプ、または画像信号をゆっくりクランプすることにより、暗ノイズ補正を確実に行える様になった。その結果、多フィールド読み出しにおいて、温度や撮影感度等に影響されずにフィールド間の画像信号の信号レベルを高い精度で合わせることができる様になった。
【発明を実施するための最良の形態】
【００４１】
本発明に係る撮像装置の具体的な実施形態としては、デジタルカメラが代表的であるが、この他にカメラ付きの携帯電話機や、デジタルビデオカメラ等も含まれる。
【００４２】
本発明に係る撮像装置の代表的な実施形態の１つであるデジタルカメラの外観を図１を用いて説明する。図１（ａ）は本発明に係るデジタルカメラ１の側面図、図１（ｂ）は背面図である。図１（ａ）に示す様に、デジタルカメラ１は、カメラ本体部２、及びレンズユニット３から構成される。
【００４３】
レンズユニット３は、図示しないマクロズームからなる撮影レンズ、絞り、及びシャッタ等から構成される。
【００４４】
カメラ本体部２は、ＬＣＤ（Ｌｉｑｕｉｄ  Ｃｒｙｓｔａｌ  Ｄｉｓｐｌａｙ；液晶表示素子）からなるＬＣＤモニタ２１１、ＥＶＦ（Ｅｌｅｃｔｒｏｎｉｃ  Ｖｉｅｗ  Ｆｉｎｄｅｒ；電子ビューファインダ）２１０、及びデジタルカメラ１を図示しないパーソナルコンピュータに接続する外部接続端子を有しており、後述するＣＣＤエリアセンサ２４１で取り込まれた画像信号に所定の信号処理を施し、ＬＣＤモニタ２１１やＥＶＦ２１０への画像表示や、後述するメモリカード２７７などの記録媒体への画像記録、あるいはパーソナルコンピュータへの画像の転送といった処理を行う。
【００４５】
図１（ａ）に示す様に、カメラ本体部２の上面には、必要時にホップアップされる内蔵フラッシュ２１２が設けられている。
【００４６】
また、図１（ｂ）に示す様に、カメラ本体部２の背面の略中央部には撮影画像の表示や記録画像の再生表示、またはメニュー画面や、各種状態表示等のＧＵＩ表示を行うＬＣＤモニタ２１１とＥＶＦ２１０が設けられている。
【００４７】
カメラ本体部２の上面には、図１（ｂ）に示す様に、シャッタボタン２０１と、シャッタボタン２０１の近くにデジタルカメラ１の動作モードを設定するモード設定ダイアル２０３が設けられている。モード設定ダイアル２０３で設定されるデジタルカメラ１の動作モードには、「静止画モード」、「動画モード」、「再生モード」等がある。
【００４８】
例えば、静止画モードは、撮影待機状態から露光制御のプロセスを経て撮影にいたる写真撮影を行うモードであり、再生モードは、メモリカード２７７に記録された撮影画像をＬＣＤモニタ２１１やＥＶＦ２１０に再生表示するモードである。
【００４９】
また、カメラ本体部２の背面上部には、図１（ｂ）に示す様に、メインスイッチ２０２と、メインスイッチ２０２の近くには、デジタルズームのズーム倍率を変更する為のデジタルズームボタン２０９が設けられている。
【００５０】
また、カメラ本体部２の背面下部には、図１（ｂ）に示す様に、ＬＣＤモニタ２１１にメニューを表示する為のメニューボタン２０７と、メニューボタン２０７の近くには、ＬＣＤモニタ２１１に画像を表示する為のクイックビューボタン２０８が設けられている。
【００５１】
さらに、カメラ本体部２の背面の略中央部には、各種設定を行うための選択／決定ボタン２０６が設けられている。選択／決定ボタン２０６は、各種設定の選択を行うためのジョグダイアル（十字キー）２０４と、ジョグダイアル（十字キー）２０４で選択された設定を確定するための決定ボタン２０５から構成される。
【００５２】
また、選択／決定ボタン２０６は、デジタルカメラ１の撮影感度を設定するものである。具体的には、例えば、ＬＣＤモニタ２１１で表示されるメニュー画面上で撮影感度設定モードに入る。撮影感度には、例えばＩＳＯ５０からＩＳＯ４００があり、ジョグダイアル２０４を操作して所望の撮影感度を選択する。次に、決定ボタン２０５を操作してジョグダイアル２０４で選択された撮影感度を確定する。そして、選択／決定ボタン２０６で選択された撮影感度に基づいて、後述するカメラ制御ＣＰＵ２９１がＡＧＣ回路２４３のゲイン調整を行う。このように、選択／決定ボタン２０６は、本発明に係る撮像装置における撮影感度設定手段として機能するものである。
【００５３】
次に、デジタルカメラ１の制御系について図２を用いて説明する。図２は本発明に係るデジタルカメラ１の制御系のブロック図である。なお、図２では図１に示した部材と同じ部材には同一の番号を付与してある。
【００５４】
ＣＣＤエリアセンサ２４１（以下、ＣＣＤ２４１と略称する。）は、Ｒ（赤）光、Ｇ（緑）光、Ｂ（青）光の各色透過フィルタをピクセル単位（画素単位）で市松模様状に配置させたカラーエリア撮像センサで、レンズユニット３により結像された被写体光像を光電変換して、Ｒ（赤）光、Ｇ（緑）光、Ｂ（青）光の各色成分の画像信号（各画素単位で受光された画素信号の信号列からなる信号）を生成するものであり、多フィールド読み出しが可能なインターライン型素子構造からなる。
【００５５】
また、ＣＣＤ２４１は、図７（ａ）に示す様に、受光領域５２とＯＢ領域５３各々に、フォトダイオード５１を画素単位で配置している。フォトダイオード５１は、図７（ａ）に示す様に垂直シフトレジスタ５４と接続され、さらに、垂直シフトレジスタ５４は、ＣＣＤ２４１の下部に設けられた水平シフトレジスタ５５と接続され、フォトダイオード５１に蓄積された電荷信号は、これらの部位を介して、出力部５７で増幅されて外部に出力される。
【００５６】
タイミングジェネレータ２４８は、後述する基準クロック発生部２７１から送信される基準クロックに基づいて、ＣＣＤ２４１の駆動制御信号を生成するものである。タイミングジェネレータ２４６で生成される駆動制御信号には、例えば、ＣＣＤ２４１における露出開始、及び終了タイミングを制御する積分開始／終了のタイミング信号、各画素の受光信号の読出制御信号（水平同期信号、垂直同期信号、転送信号等）等のクロック信号が挙げられ、これらのクロック信号がＣＣＤ２４１に供給されるとＣＣＤ２４１では各クロック信号に対応した駆動制御が行われる。
【００５７】
また、タイミングジェネレータ２４８は、後述する基準クロック発生部２７１から送信される基準クロックに基づいて、後述する信号処理回路２４２内のＣＤＳ回路２４３、スイッチ回路２４６で使用されるクランプ信号を生成する。そして、タイミングジェネレータ２４８で生成されるクランプ信号の形態、及び周期は、後述するカメラ制御ＣＰＵ２９１によって制御される。
【００５８】
次に、信号処理回路２４２は、ＣＤＳ回路２４３、ＡＧＣ回路２４４、Ａ／Ｄ変換器２４５、スイッチ回路２４６、黒レベル基準電圧設定部２４７より構成され、これらの構成部を介して画像信号に所定の処理が行われる。以下、信号処理回路２４２で行われる画像信号への所定の処理について説明する。
【００５９】
ＣＤＳ（相関二重サンプリング）回路２４３は、ＣＣＤ２４１から読み出された画像信号より読出し時に発生するノイズを低減させたり、黒レベル基準電圧設定部２４７で生成された黒レベル基準電圧に基づいてＯＢクランプ動作を行って暗ノイズの補正を行うものである。
【００６０】
ＡＧＣ（自動利得制御）回路２４４は、選択／決定ボタン２０６で設定された撮影感度に基づいて、ＣＤＳ回路２４３で処理された画像信号のゲイン調整を行い撮影感度の制御を行うものである。
【００６１】
Ａ／Ｄ変換器２４５は、ＡＧＣ回路２４４から入力された画像信号を構成する各画素信号をデジタル信号に変換するものである。Ａ／Ｄ変換器２４５は、基準クロック発生部２７１から入力されるＡ／Ｄ変換用クロックに基づき、アナログ信号の各画素信号を例えば１４ビットのデジタル信号に変換する。
【００６２】
スイッチ回路２４６は、タイミングジェネレータ２４８から送出されたクランプ信号に基づいて、ＡＧＣ回路２４４から出力された画像信号から、画像信号中に含まれる暗ノイズ成分より構成されるＯＢ領域の画像信号、又はダミー画素信号を抽出する。
【００６３】
黒レベル基準電圧設定部２４７は、スイッチ回路２４６で抽出された画像信号、またはダミー画素信号に基づいて、ＣＤＳ回路２４３での暗ノイズ補正を行う際に使用される黒レベル基準電圧を生成するものである。
【００６４】
すなわち、タイミングジェネレータ２４８、ＣＤＳ回路２４３、スイッチ回路２４６、黒レベル基準電圧設定部２４７は、本発明に係る撮像装置におけるクランプ手段として機能するものである。
【００６５】
この様な構成により、本発明では、多フィールド読み出しが可能なＣＣＤ２４１を静止画モードで駆動する際に、温度や撮影感度に応じて最適なクランプ方法を選択し、選択されたクランプ方法で暗ノイズを補正することにより、従来除去が困難であったＶサグ（段差）の発生を抑制する様にデジタルカメラ１で行われるクランプ動作を制御する。なお、温度や撮影感度に基づいたクランプ動作制御の詳細な説明は後述する。
【００６６】
この様に、ＣＣＤ２４１で読み出された画像信号は、信号処理回路２４２所定の処理が施されて、デジタル画像信号に変換される。デジタル化された画像信号は、画像処理ＣＰＵ２６１に取り込まれて所定の処理が行われる。
【００６７】
画像処理ＣＰＵ２６１は、マイクロコンピュータからなり、デジタルカメラ１で行われる画像信号処理動作を統括的に制御するものである。以下、画像処理ＣＰＵ２６１で行われるデジタル画像信号への処理について説明する。
【００６８】
最初に、画像処理ＣＰＵ２６１に取り込まれた画像信号は、ＣＣＤ２４１から出力される画像信号の読出しに同期して画像メモリ２７５に書き込まれる。すなわち、画像処理ＣＰＵ２６１で行われる処理に使用されるデジタル画像信号は、画像メモリ２７５にいったん記録したものを画像メモリ２７５から取り出し、各ブロックにおける処理に使用される。
【００６９】
画像処理ＣＰＵ２６１は、図２に示す様に、例えば黒レベル補正部２６３、画素補間部２６４、解像度変換部２６５、ホワイトバランス制御部２６６、ガンマ補正部２６７、マトリックス演算部２６８、シェーディング補正部２６９、画像圧縮部２７０等からなる画像処理部２６２、及び基準クロック発生部２７１から構成され、画像処理部２６２は画像メモリ２７５より取り出したデジタル画像信号に周知の画像信号処理を施すものである。そして、これらの部位で所定の処理を施されたデジタル画像信号は、再度、画像メモリ２７５に格納される。
【００７０】
基準クロック発生部２７１は、デジタルカメラ１の駆動制御に使用される基準クロックを生成し、これを各回路に供給する回路である。本発明における基準クロックの具体例としては、タイミングジェネレータ２４６に使用される基準クロックや、Ａ／Ｄ変換器２４５に使用されるＡ／Ｄ変換用クロックなどが挙げられ、基準クロック発生部２７１でこれらのクロックを生成する。
【００７１】
次に、ＬＣＤモニタ２１１は、ＣＣＤ２４１で取り込まれた画像信号の表示や、ＧＵＩ表示を行う。
【００７２】
ＬＣＤ駆動回路２７９は、画像処理ＣＰＵ２６１により画像メモリ２７５から読み出された画像信号を一時記憶するバッファメモリ（ＶＲＡＭ）を備えており、該画像信号をフィールド画像としてＬＣＤモニタ２１１に画像表示させる。
【００７３】
温度センサ２９３は、ＣＣＤ２４１の近傍に設けられ、ＣＣＤ２４１の温度を検出するものであり、検出した温度情報を後述するカメラ制御ＣＰＵ２９１に送出する。すなわち、温度センサ２９３は、本発明に係る撮像装置における検知手段として機能するものである。
【００７４】
カメラ制御ＣＰＵ２９１は、マイクロコンピュータからなり、後述のスイッチ群２９５の各スイッチ操作によるスイッチ信号に基づき、カメラ本体部２、及びレンズユニット３の各部材の駆動をシーケンシャルに制御してデジタルカメラ１の撮影動作を統括制御する。
【００７５】
また、カメラ制御ＣＰＵ２９１は、静止画モードにおいて、温度センサ２９３で検出されたＣＣＤ２４１の温度または選択／決定ボタン２０６で選択された撮影感度に基づいて、タイミングジェネレータ２４８、ＣＤＳ回路２４３、スイッチ回路２４６、黒レベル基準電圧設定部２４７等で行われるクランプ動作の制御を行うものである。すなわち、カメラ制御ＣＰＵ２９１は、本発明に係る撮像装置におけるクランプ制御手段として機能するものである。なお、温度や撮影感度に基づくクランプ動作制御の詳細な説明については後述する。
【００７６】
この様に、デジタルカメラ１では、画像処理ＣＰＵ２６１においてＣＣＤ２４１より取り込まれた画像信号に前述した様な信号処理を行い、これらの処理を行った画像信号を画像メモリ２７５に記録するようになっている。
【００７７】
本発明に係るデジタルカメラ１は、モード設定ダイアル２０３で設定したモードの下でＣＣＤ２４１より取り込まれた画像信号を画像メモリ２７５に記録、あるいは、ＬＣＤモニタ２１１やＥＶＦ２１０に表示する。
【００７８】
撮影待機状態（例えば、モード設定ダイアル２０３で「静止画モード」に設定した状態）では、画像信号が例えば１／３０秒毎等の所定間隔でＣＣＤ２４１より信号処理回路２４２を経て画像処理ＣＰＵ２６１取り込まれている。取り込まれた画像信号は、前述の様に、画像処理ＣＰＵ２６１中の画像処理部２６２の黒レベル補正部２６３からシェーディング補正部２６９にかけての部位で所定の信号処理が施され、その後、デジタル画像信号として画像メモリ２７５に記録される。そして、画像メモリ２７５に記録された画像信号を読み出し、読み出された画像信号をＬＣＤ駆動回路２７９やＥＶＦ駆動回路２８０を介してフィールド画像としてＬＣＤモニタ２１１やＥＶＦ２１０で画像表示する。
【００７９】
また、画像記録時は、設定された記録解像度の画像とするために画像信号を画像処理ＣＰＵ２６１中の画像処理部２６２の画像圧縮部２７０で圧縮処理し、得られた圧縮画像はメモリカードドライバ２７６を介してメモリカード２７７に記録される。
【００８０】
再生モード（モード設定ダイアル２０３で「再生モード」に設定した状態）では、メモリカード２７７より読み出された画像信号は、画像処理ＣＰＵ２６１で所定の信号処理が施され、ＬＣＤ駆動回路２７９やＥＶＦ駆動回路２８６を介してＬＣＤモニタ２１１やＥＶＦ２１０に表示する
なお、図２中のスイッチ群２９５は、図１のシャッタボタン２０１、メインスイッチ２０２、モード設定ダイアル２０３、選択／決定ボタン２０６、メニューボタン２０７、クイックビューボタン２０８、デジタルズームボタン２０９等に対応するスイッチである。
【００８１】
ここで、静止画モード時のクランプ動作制御について説明する。
【００８２】
従来行われている静止画モード時のクランプ動作においては、上述した様に、高速掃き出し期間ｔｃ、及び下部ＯＢ信号読み出し期間ｔｂ１中は、クランプ動作を停止している。そして、下部ＯＢ信号読み出し期間ｔｂ１終了後、画像信号読み出し期間ｔｓに移ると、図３（ｄ）に示す様に、クランプ動作を開始するが、クランプ動作を停止していた期間中に、図３（ｃ）に示す様に、温度の影響により増大しＶｏｂまで蓄積された暗ノイズレベルに相当するクランプ電位Ｖｃｐを瞬時に得ることは、クランプ回路の時定数の大きさによって困難であった。本来、クランプ電位は、図３（ｅ）に実線で示す様に、クランプ動作を開始すると瞬時に暗ノイズレベルＶｏｂに相当するクランプ電位Ｖｃｐまで達しなければならないが、クランプ回路の時定数の大きさによって追従が出来ず、破線で示す様に徐々に上昇して本来必要とするクランプ電位に到達する。そしてこの間の電位差がＶサグ（段差）として画像信号に発生し、画像品質を大きく損なっていた。
【００８３】
また、暗ノイズや暗ノイズ補正時のクランプミスに起因するＶサグ（段差）は、撮影感度に大きく影響されるものである。すなわち、撮影感度が高い場合は、信号処理回路のゲインが高く設定されることにより、暗ノイズやＶサグ（段差）は、増幅されて画像信号に大きなノイズとして現れていた。
【００８４】
さらに、多フィールド読み出しが可能なＣＣＤにおいては、最初に読み出されるフィールドよりも後から読み出されるフィールドの方が電荷の蓄積時間が長くなることにより暗ノイズの量も多くなる。すなわち、クランプ動作開始時点の暗ノイズレベルは後から読み出されるフィールド程高くなる。この様に暗ノイズレベルが高くなった場合には、瞬時に適正なクランプ電位を得る事はますます難しく、フィールド間の画像信号の信号レベルを高い精度で合わせることが非常に困難であった。
【００８５】
本発明は、多フィールド読み出しが可能なＣＣＤを静止画モードで駆動する際に、温度や撮影感度に応じて最適なクランプ方法を選択して、選択したクランプ方法により暗ノイズの補正を行うことにより、従来除去が困難であったＶサグ（段差）の発生を抑制する様にデジタルカメラ１で行われるクランプ動作を制御するものである。
【００８６】
ここで、本発明に係るデジタルカメラ１における、静止画モード時のクランプ動作制御について図５を用いて詳細に説明する。
【００８７】
図５（ａ）は、垂直同期信号（ＶＤ）を示す。図５（ｂ）は、読出し動作モードを示す。図５（ｃ）は暗ノイズレベルを示す。図５（ｄ）はクランプ信号（ＣＬＰ）を示す。図５（ｅ）は、クランプ電位を示す。
【００８８】
従来は、下部ＯＢ信号読み出し期間ｔｂ１終了後、画像信号読み出し期間ｔｓに移った時点からクランプ動作を開始していたが、本発明に係るデジタルカメラ１においては、暗ノイズやＶサグ（段差）が大きく発生する高温、高感度時には、図５（ｄ）に示す様に、高速掃き出し期間ｔｃ終了後、下部ＯＢ信号読み出し期間ｔｂ１に移った時点からクランプ動作を開始する様にしている。
【００８９】
クランプ動作開始直後は、上述した様にクランプ回路の時定数の大きさによって瞬時に適正なクランプ電位を得る事は困難である。したがって、画像信号読み出し期間ｔｓに移行する前にクランプ電位を安定させる為に、高速掃き出し期間ｔｃ終了直後からクランプ動作を開始させて、図５（ｅ）に示す様に、画像信号に影響を及ぼさない下部ＯＢ信号読み出し期間ｔｂ１中にクランプ電位を暗ノイズレベルに追従させて安定させ、画像信号読み出し期間ｔｓに移った時点には、暗ノイズレベルＶｏｂに相当するクランプ電位Ｖｃｐが得られる様にしている。
【００９０】
具体的には、カメラ制御ＣＰＵ２９１は、表１に示す様に、予め温度または撮影感度に応じて最適なクランプ動作モードを複数種設定しておき、温度センサ２９３で検出されたＣＣＤ２４１の温度または選択／決定ボタン２０６で選択された撮影感度に基づいて、複数種のクランプ動作モードより最適なクランプ動作モードを選択する。そして、選択されたクランプ動作モードに基づいて、タイミングジェネレータ２４８、ＣＤＳ回路２４３、スイッチ回路２４６、黒レベル基準電圧設定部２４７等で行われるクランプ動作の制御を行う。
【００９１】
【表１】
2007036332.tif 000003
【００９２】
ここで、表１中のクランプ動作モードＡ１乃至Ａ８について図６を用いて説明する。図６（ａ）は、ＣＣＤ５０におけるクランプ領域を示す。図６（ｂ）は、クランプ動作モードＡ１乃至Ａ６に各々対応するクランプ信号ＣＬＰ１乃至ＣＬＰ６を示す。
【００９３】
クランプ動作モードＡ１は、図６（ｂ）に示すクランプ信号ＣＬＰ１にて、図６（ａ）に示す、後段ＯＢ領域ＯＢ１で生成された後段ＯＢ信号を抽出して、画像信号のクランプを行う。
【００９４】
クランプ動作モードＡ２は、クランプ動作モードＡ１で抽出された信号に加えて、図６（ｂ）に示すクランプ信号ＣＬＰ２にて、図６（ａ）に示す、前段ＯＢ領域ＯＢ２で生成された前段ＯＢ信号も抽出して、画像信号のクランプを行う。
【００９５】
クランプ動作モードＡ３は、クランプ動作モードＡ２で抽出された信号に加えて、図６（ｂ）に示すクランプ信号ＣＬＰ３にて、図６（ａ）に示す、下部ＯＢ領域の一部ＯＢ３（例えば後段ＯＢ部）で生成された下部ＯＢ信号も抽出して、画像信号のクランプを行う。
【００９６】
クランプ動作モードＡ４は、クランプ動作モードＡ３で抽出された信号に加えて、図６（ｂ）に示すクランプ信号ＣＬＰ４にて、図６（ａ）に示す、下部ＯＢ領域ＯＢ４生成された下部ＯＢ信号も抽出して、画像信号のクランプを行う。
【００９７】
クランプ動作モードＡ５は、クランプ動作モードＡ４で抽出された信号に加えて、図６（ｂ）に示すクランプ信号ＣＬＰ５にて、図６（ａ）に示す、ダミー画素ＤＭで生成されたダミー画素信号も抽出して、画像信号のクランプを行う。
【００９８】
クランプ動作モードＡ６は、図６（ｂ）に示す様に、クランプ動作モードＡ５における、下部ＯＢ信号読み出し期間ｔｂ１中のクランプ信号の周期ｔｗ１よりも遅い周期ｔｗ２のクランプ信号ＣＬＰ６にて、クランプ動作モードＡ５で抽出する信号と同じ信号を抽出して、画像信号のクランプを行う。
【００９９】
クランプ動作モードＡ７は、クランプ動作モードＡ６が、下部ＯＢ信号読み出し期間ｔｂ１中に行うクランプ動作よりもさらに遅い周期で画像信号のクランプを行う。
【０１００】
クランプ動作モードＡ８は、クランプ動作モードＡ７が、下部ＯＢ信号読み出し期間ｔｂ１中に行うクランプ動作よりもさらに遅い周期で画像信号のクランプを行う。
【０１０１】
なお、クランプ動作モードＡ６乃至Ａ８における画像信号読み出し期間ｔｓ中のクランプ信号の周期は、クランプ動作モードＡ１乃至Ａ５における画像信号読み出し期間ｔｓ中のクランプ信号の周期と同じ周期である。
【０１０２】
この様に、温度または撮影感度に応じて最適なクランプ動作モードにてクランプ動作を行うことにより、暗ノイズの補正を確実に行える様にしている。
【０１０３】
例えば、暗ノイズの影響が比較的少ない常温、または低感度、例えば、温度が２０℃乃至３０℃近傍、撮影感度がＩＳＯ５０に設定されている様な場合には、通常行われている後段ＯＢ信号または後段ＯＢ信号に加えて前段ＯＢ信号とを用いたクランプ動作で充分に暗ノイズを補正することができるので、カメラ制御ＣＰＵ２９１はクランプ動作モードＡ１、またはＡ２を選択し、選択したクランプ動作モードに基づいてタイミングジェネレータ２４８、ＣＤＳ回路２４３、スイッチ回路２４６、黒レベル基準電圧設定部２４７等で行われるクランプ動作の制御を行って、暗ノイズの補正を行う。
【０１０４】
また、温度あるいは撮影感度が高くなり暗ノイズが増大する様な場合には、通常行われるクランプ動作では、クランプ動作開始直後は、上述した様にクランプ回路の時定数の大きさによって瞬時に適正なクランプ電位を得る事は困難である。この場合、画像信号読み出し期間ｔｓに移行する前にクランプ電位を安定させるため、カメラ制御ＣＰＵ２９１でクランプ動作モードＡ３、Ａ４、またはＡ５を選択し、選択したクランプ動作モードに基づいて高速掃き出し期間ｔｃ終了直後からクランプ動作を開始させる。このようにすることで、画像信号に影響を及ぼさない下部ＯＢ信号読み出し期間ｔｂ１中にクランプ電位を暗ノイズレベルに追従させて安定させることができるので、画像信号読み出し期間ｔｓに移った時点には暗ノイズレベルＶｏｂに相当するクランプ電位Ｖｃｐが得られる。
【０１０５】
さらに、温度または撮影感度が高くなると、暗ノイズが急激に増大するが、クランプ動作モードＡ６またはＡ７で、画像信号に対して行うクランプの周期を遅くし、ゆっくりとクランプすることで急激に増大する暗ノイズにクランプ電位を追従させることができる様になり、暗ノイズを確実に補正することができる。
【０１０６】
この様に、本発明に係る撮像装置では、多フィールド読み出しが可能なＣＣＤエリアセンサを静止画モードで駆動する際に、温度や撮影感度に応じて最適なクランプ方法を選択して、選択したクランプ方法により暗ノイズの補正を行うことにより、従来除去が困難であったＶサグ（段差）の発生を抑制することができる様になる。その結果、多フィールド読み出しにおいて、温度や撮影感度等に影響されずにフィールド間の画像信号の信号レベルを高い精度で合わせることが可能になり、高品位な画像を形成することができる様になる。
【図面の簡単な説明】
【０１０７】
【図１】本発明に係るデジタルカメラの外観模式図である。
【図２】本発明に係るデジタルカメラにおける回路ブロック構成図である。
【図３】従来の撮像装置における静止画モード時のクランプ動作を示すタイミングチャートである。
【図４】従来の撮像装置における多フィールド読み出し時のクランプ動作を示すタイミングチャートである。
【図５】本発明に係るデジタルカメラにおける静止画モード時のクランプ動作を示すタイミングチャートである。
【図６】本発明に係るデジタルカメラにおける静止画モード時の各種クランプ動作モードを示すタイミングチャートである。
【図７】本発明に係るデジタルカメラにおけるＣＣＤ構成、及びＣＣＤ出力信号を示す模式図である。
【符号の説明】
【０１０８】
１  デジタルカメラ
２  カメラ本体部
２０１  シャッタボタン
２０２  メインスイッチ
２０３  モード設定ダイアル
２０４  ジョグダイアル（十字キー）
２０５  決定ボタン
２０６  選択／決定ボタン
２０７  メニューボタン
２０８  クイックビューボタン
２０９  デジタルズームボタン
２１０  電子ビューファインダ（ＥＶＦ）
２１１  ＬＣＤモニタ
２１２  内蔵フラッシュ
２４１  ＣＣＤエリアセンサ
２４２  信号処理回路
２４３  ＣＤＳ回路
２４４  ＡＧＣ回路
２４５  Ａ／Ｄ変換器
２４６  スイッチ回路
２４７  黒レベル基準電圧設定部
２４８  タイミングジェネレータ
２５１  絞り／シャッタ駆動回路
２５２  フォーカス／ズームモータ駆動回路
２６１  画像処理ＣＰＵ
２６２  画像処理部
２６３  黒レベル補正部
２６４  画素補完部
２６５  解像度変換部
２６６  ホワイトバランス制御部
２６７  ガンマ補正部
２６８  マトリックス演算部
２６９  シェーディング補正部
２７０  画像圧縮部
２７１  基準クロック発生部
２７５  画像メモリ
２７６  メモリカードドライバ
２７７  メモリカード
２７８  外部通信Ｉ／Ｆ
２７９  ＬＣＤ駆動回路
２８０  ＥＶＦ駆動回路
２９１  カメラ制御ＣＰＵ
２９２  フラッシュ制御回路
２９３  温度センサ
２９５  スイッチ群（シャッタボタン他）
３  レンズユニット
３５１  フォーカス／ズームモータ
３５２  絞り
５０  ＣＣＤ
５１  フォトダイオード
５２  受光領域
５３  遮光領域
５４  垂直シフトレジスタ（垂直ＣＣＤ）
５５  水平シフトレジスタ（水平ＣＣＤ）
５６  ダミー画素
５７  出力部
【図１】
2007036332.tif 000004
【図２】
2007036332.tif 000005
【図３】
2007036332.tif 000006
【図４】
2007036332.tif 000007
【図５】
2007036332.tif 000008
【図６】
2007036332.tif 000009
【図７】
2007036332.tif 000010